(57)【要約】【課題】コストアップを招くことなく、画像情報を記録する記録媒体を簡易に指定することのできる画像記録装置及び方法を提供する。【解決手段】予め定められた指示情報を入力する役割を有する十字カーソルボタン（操作部５６に含まれる。）に、所定のタイミングで操作されることによりデジタル画像データの記録先として第１のメモリカード５２及び第２のメモリカード５３のうちの少なくとも１つを指定する記録先指定情報を入力する役割を有させると共に、上記十字カーソルボタンにより入力された記録先指定情報によって指定されたメモリカードにデジタル画像データを記録する。【選択図】  図２
2004336350.tif 000002
【特許請求の範囲】
【請求項１】
画像情報を複数の記録媒体に記録可能に構成された画像記録装置であって、
予め定められた指示情報を入力する役割を有すると共に、所定のタイミングで操作されることにより前記画像情報の記録先として前記複数の記録媒体のうちの少なくとも１つを指定する記録先指定情報を入力する役割を有する操作手段と、前記操作手段により入力された記録先指定情報によって指定された記録媒体に前記画像情報を記録する記録手段と、
を備えた画像記録装置。
【請求項２】
前記所定のタイミングを、所定の動作モードで動作しているときのタイミングとした
請求項１に記載の画像記録装置。
【請求項３】
前記画像情報を取得するタイミングを指示する取得指示情報を入力する入力手段を更に備え、
前記所定のタイミングを、前記入力手段により前記取得指示情報が入力されるタイミングと略等しいタイミングとした
請求項１に記載の画像記録装置。
【請求項４】
前記記録媒体毎に、記録に関するパラメータを設定する設定手段を更に備え、
前記記録手段は、前記記録先指定情報によって指定された記録媒体に対応する前記パラメータに応じて前記画像情報を記録する
請求項１乃至請求項３の何れかに記載の画像記録装置。
【請求項５】
画像情報を複数の記録媒体に記録可能に構成された画像記録装置における画像記録方法であって、
予め定められた指示情報を入力する役割を有する操作手段に、所定のタイミングで操作されることにより前記画像情報の記録先として前記複数の記録媒体のうちの少なくとも１つを指定する記録先指定情報を入力する役割を有させ、
前記操作手段により入力された記録先指定情報によって指定された記録媒体に前記画像情報を記録する
画像記録方法。
【発明の詳細な説明】
【０００１】
【発明の属する技術分野】
本発明は、画像情報を複数の記録媒体に記録可能に構成された画像記録装置に関する。
【０００２】
【従来の技術】
近年、ＣＣＤ（Ｃｈａｒｇｅ  Ｃｏｕｐｌｅｄ  Ｄｅｖｉｃｅ、電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージ・センサ等の撮像素子の高解像度化に伴い、デジタルカメラの需要が急増している。
【０００３】
また、このようなデジタルカメラでは、一般に、撮影により撮像素子を介して得られた画像情報を当該デジタルカメラに装着されたスマートメディア（Ｓｍａｒｔ  Ｍｅｄｉａ（Ｒ））、コンパクトフラッシュ（Ｒ）（Ｃｏｍｐａｃｔ  Ｆｌａｓｈ）等の可搬型の記録媒体や、デジタルカメラに内蔵されたメモリに記録されるものとされており、最近では、画像情報を複数の記録媒体に記録可能に構成されたデジタルカメラも製品化されている。
【０００４】
このような複数の記録媒体に画像情報を記録可能に構成されたデジタルカメラにおいて、撮影によって得られた画像情報の記録先とする記録媒体の指定を省力化するための技術として、従来、撮影される画像のデータサイズの大小に応じてそのデータの保存先メディアを自動的に選択する技術があった（例えば、特許文献１参照。）。
【０００５】
この技術によれば、データの圧縮の有無、動画静止画等の別によって記録すべき画像のデータサイズを予測し、保存先の記録メディアを選択するので、記憶容量の異なる複数の記録メディアのメディアサイズを有効に使用して、記録後の画像ファイルの整理・検索をし易くすることができる。
【０００６】
【特許文献１】
特開２００１−２４５２４８公報
【０００７】
【発明が解決しようとする課題】
ところで、複数の記録媒体を着脱可能に構成されたデジタルカメラでは、撮影によって得られた画像情報の記録先を任意に指定したい場合があり、この場合には、従来、所定のメニュー画面上で所望の記録媒体を指定する必要があり、著しく手間がかかる、という問題点があった。この結果、シャッターチャンスを逃してしまう場合もあった。
【０００８】
なお、上記特許文献１の技術は、記憶容量の異なる複数の記録メディアのメディアサイズを有効に使用して記録後の画像ファイルの整理・検索をし易くすることはできるものの、画像情報を所望（任意）の記録媒体に記録したい場合については無力である。
【０００９】
また、デジタルカメラに、画像情報を記録する記録媒体を指定するためのボタン等の操作手段を新たに設けることも考えられるが、この方法では、操作手段を新たに設ける必要があるため、コストアップを招くことになる。
【００１０】
本発明は上記問題点を解消するためになされたものであり、コストアップを招くことなく、画像情報を記録する記録媒体を簡易に指定することのできる画像記録装置及び方法を提供することを目的とする。
【００１１】
【課題を解決するための手段】
上記目的を達成するために、請求項１記載の画像記録装置は、画像情報を複数の記録媒体に記録可能に構成された画像記録装置であって、予め定められた指示情報を入力する役割を有すると共に、所定のタイミングで操作されることにより前記画像情報の記録先として前記複数の記録媒体のうちの少なくとも１つを指定する記録先指定情報を入力する役割を有する操作手段と、前記操作手段により入力された記録先指定情報によって指定された記録媒体に前記画像情報を記録する記録手段と、を備えている。
【００１２】
請求項１に記載の画像記録装置によれば、予め定められた指示情報を入力する役割を有する操作手段が所定のタイミングで操作されることにより、画像情報の記録先として複数の記録媒体のうちの少なくとも１つを指定する記録先指定情報が入力され、記録手段によって、操作手段により入力された記録先指定情報によって指定された記録媒体に画像情報が記録される。
【００１３】
すなわち、本発明は、操作手段により、画像情報を記録可能な複数の記録媒体のうちの少なくとも１つを画像情報の記録先として指定する記録先指定情報が入力されると、当該記録先指定情報によって示される任意の記録媒体に画像情報を記録するようにしており、これによって画像情報を記録する記録媒体を簡易に指定することができる。
【００１４】
また、本発明は、予め定められた指示情報を入力する操作手段を、記録先指定情報を入力する操作手段として兼用しており、記録先指定情報を入力するための操作手段を新たに設けなくてもよいので、コストアップを招くことがない。
【００１５】
なお、上記記録媒体には、スマートメディア、コンパクトフラッシュ（Ｒ）、ＡＴＡ（ＡＴ  Ａｔｔａｃｈｍｅｎｔ）カード、フロッピー（Ｒ）ディスク、ＣＤ−Ｒ（Ｃｏｍｐａｃｔ  Ｄｉｓｋ−Ｒｅｃｏｒｄａｂｌｅ）、ＣＤ−ＲＷ（Ｃｏｍｐａｃｔ  Ｄｉｓｋ−ＲｅＷｒｉｔａｂｌｅ）、光磁気ディスク、マイクロドライブ等のあらゆる可搬型の記録媒体及びハードディスク等の内蔵型の記録媒体が含まれる。
【００１６】
このように、請求項１に記載の画像記録装置によれば、予め定められた指示情報を入力する役割を有する操作手段に、所定のタイミングで操作されることにより画像情報の記録先として複数の記録媒体のうちの少なくとも１つを指定する記録先指定情報を入力する役割を有させると共に、操作手段により入力された記録先指定情報によって指定された記録媒体に画像情報を記録しているので、コストアップを招くことなく、画像情報を記録する記録媒体を簡易に指定することができる。
【００１７】
なお、操作手段が記録先情報を入力する役割を有するタイミングである上記所定のタイミングとしては、記録する画像情報を取得するタイミングや、画像情報の取得後でかつ当該取得した画像情報の記録を実行したいタイミング等の他、画像情報を記録するまでの任意のタイミングを適用できる。
【００１８】
例えば、請求項２の発明のように、前記所定のタイミングを、所定の動作モードで動作しているときのタイミングとしてもよい。
【００１９】
これにより、所定の動作モードで動作しているときには使用しないが、他の動作モードで動作しているときには使用する操作手段を本発明の操作手段として適用することで不具合を生じさせることなく操作手段を兼用できる。
【００２０】
また、請求項３の発明のように、前記画像情報を取得するタイミングを指示する取得指示情報を入力する入力手段を更に備え、前記所定のタイミングを、前記入力手段により前記取得指示情報が入力されるタイミングと略等しいタイミングとしてもよい。
【００２１】
これにより、入力手段によって画像情報の取得が指示されたタイミングと略等しいタイミングで当該画像情報の記録先を指定することが可能となり、画像情報の取得と略同時に所望の記録媒体への当該画像情報の記録が可能となる。
【００２２】
なお、本発明における取得指示情報が入力されるタイミングと略等しいタイミングとは、入力手段と操作手段とを同時に操作したと見なせる、取得指示情報が入力されるタイミングを含む所定期間内のタイミングを意味する。
【００２３】
さらに、本発明は、請求項４に記載の発明のように、前記記録媒体毎に記録に関するパラメータを設定する設定手段を更に備え、前記記録手段は、前記記録先指定情報によって指定された記録媒体に対応する前記パラメータに応じて前記画像情報を記録するようにしてもよい。
【００２４】
これにより、記録媒体毎に記録に関するパラメータを予め設定しておけば、記録先指定情報を入力するだけで自動的に記録媒体に対応するパラメータに応じて画像情報が記録されるため、利便性を向上できる。
【００２５】
一方、上記目的を達成するために、請求項５に記載の画像記録方法は、画像情報を複数の記録媒体に記録可能に構成された画像記録装置における画像記録方法であって、予め定められた指示情報を入力する役割を有する操作手段に、所定のタイミングで操作されることにより前記画像情報の記録先として前記複数の記録媒体のうちの少なくとも１つを指定する記録先指定情報を入力する役割を有させ、前記操作手段により入力された記録先指定情報によって指定された記録媒体に前記画像情報を記録するものである。
【００２６】
従って、請求項５に記載の発明によれば、請求項１に記載の発明と同様に作用するので、請求項１に記載の発明と同様に、コストアップを招くことなく、画像情報を記録する記録媒体を簡易に指定することができる。
【００２７】
【発明の実施の形態】
以下、図面を参照して、本発明の実施の形態について詳細に説明する。なお、ここでは、本発明の画像記録装置及び画像記録方法をデジタルカメラに適用した場合について説明する。
【００２８】
（第１の実施の形態）
まず、図１を参照して、本実施の形態に係るデジタルカメラ１０の外観上の構成を説明する。
【００２９】
デジタルカメラ１０の正面には、被写体像を結像させるためのレンズ２１と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、が備えられている。
【００３０】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３１】
そして、デジタルカメラ１０では、レリーズボタン５６Ａを半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００３２】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃと、ＬＣＤ３８の表示領域における上・下・左・右の４方向の移動方向を示す４つの矢印キー及び当該４つの矢印キーの中央部に位置された決定キーの合計５つのキーを含んで構成される十字カーソルボタン５６Ｄと、が備えられている。
【００３３】
一方、デジタルカメラ１０の側面には、撮影によって得られたデジタル画像データが記録可能なメモリカード（ここでは、当該デジタル画像データが画像ファイルとして記録されるメモリカード。）を装着することができるスロットＳＬ１及びスロットＳＬ２が設けられている。
【００３４】
次に、図２を参照して、本実施の形態に係るデジタルカメラ１０の電気系の構成を説明する。
【００３５】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３６】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３７】
なお、デジタル信号処理部３０は、所定容量のラインバッファを内蔵し、入力されたデジタルデータを後述するメモリ４８の所定領域に直接記憶させる制御も行う。
【００３８】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３９】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００４０】
更に、デジタルカメラ１０は、スロットＳＬ１に装着された第１のメモリカード５２及びスロットＳＬ２に装着された第２のメモリカード５３をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４１】
なお、本実施の形態のデジタルカメラ１０では、メモリ４８としてＶＲＡＭ（Ｖｉｄｅｏ  ＲＡＭ）が用いられ、第１のメモリカード５２としてスマートメディア（Ｓｍａｒｔ  Ｍｅｄｉａ（Ｒ））が用いられ、第２のメモリカード５３としてコンパクトフラッシュ（Ｒ）が用いられている。
【００４２】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及び第１のメモリカード５２並びに第２のメモリカード５３へのメモリインタフェース４６及び外部メモリインタフェース５０を介したアクセスを各々行うことができる。
【００４３】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４４】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４５】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４６】
更に、前述のレリーズボタン５６Ａ、電源スイッチ５６Ｂ、モード切替スイッチ５６Ｃ及び十字カーソルボタン５６Ｄ（同図では、「操作部５６」と総称。）はＣＰＵ４０に接続されており、ＣＰＵ４０は、これらの操作部５６に対する操作状態を常時把握できる。
【００４７】
次に、本実施の形態に係るデジタルカメラ１０の撮影モードでの動作時における全体的な動作について簡単に説明する。
【００４８】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４９】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５０】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００５１】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５２】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５３】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされると、被写体像を示すデジタル画像データ（本実施の形態では、この時点でメモリ４８に格納されているＹＣ信号）をメモリカードに記録する画像記録処理（詳細は後述。）が実行される。
【００５４】
ところで、本実施の形態に係るデジタルカメラ１０では、撮影によって得られた被写体像を示す画像データの記録先として、第１のメモリカード５２又は第２のメモリカード５３の何れか一方を指定する記録先指定情報を、ユーザが入力できるようになっている。
【００５５】
ここでは、記録先指定情報の入力は、レリーズボタン５６Ａが全押し状態とされるタイミングと略等しいタイミングでユーザにより十字カーソルボタン５６Ｄにおける４つの矢印キーのうちのＬＣＤ３８の表示領域における上方向の移動方向を示す矢印キー（以下、「上方向キー」という。）が押圧操作されることによって入力されるものとして説明する。すなわち、デジタルカメラ１０では、十字カーソルボタン５６Ｄの上方向キーを、記録先指定情報を入力する役割を有するキーとして兼用している。
【００５６】
なお、本実施の形態では、上記十字カーソルボタン５６Ｄの上方向キーの操作により入力される記録先指定情報は、デジタル画像データの記録先としてスロットＳＬ２に装着された第２のメモリカード５３を指定する情報であるものとする。また、ここでは、十字カーソルボタン５６Ｄの上方向キーが操作されず、記録先指定情報が入力されない場合には、デジタル画像データの記録先のデフォルトとして予め設定された、スロットＳＬ１に装着された第１のメモリカード５２にデジタル画像データを記録するものとして説明する。
【００５７】
図３は、上記画像記録処理の実行時にＣＰＵ４０によって実行される画像記録処理プログラムの処理の流れを示すフローチャートであり、以下、同図を参照して本実施の形態に係る画像記録処理について説明する。
【００５８】
まず、ステップ１００では、レリーズボタン５６Ａが全押し状態とされたタイミングを含む所定期間（本実施の形態では、レリーズボタン５６Ａが全押し状態とされたタイミングから所定時間（ここでは、０．３秒）経過するまでの期間）における十字カーソルボタン５６Ｄの操作状態を取得し、次のステップ１０２では、スロットＳＬ１及びスロットＳＬ２の少なくとも一方にメモリカードが装着されているか否かを判定する。当該判定が否定判定の場合は、画像データをメモリカードに記録することができないと判断し、記録先指定情報の入力の有無に拘らず、本画像記録処理を終了する。
【００５９】
一方、ステップ１０２で肯定判定となった場合はステップ１０４に移行し、メモリカードの装着枚数が２枚であるか否か、すなわち、スロットＳＬ１及びＳＬ２の双方にメモリカードが装着されているか否かを判定する。当該判定が否定判定の場合は、スロットＳＬ１及びスロットＳＬ２の何れか一方にだけメモリカードが装着されていると判断し、ステップ１０６に移行して装着されているメモリカードを記録先として選択し、その後にステップ１１４に移行する。
【００６０】
すなわち、メモリカードが１枚だけ装着されている場合は、撮影によって取得した画像のメモリカードへの記録を優先し、記録先指定情報の入力の有無に拘らず、装着されているメモリカードに取得したデジタル画像データを記録するようにしている。
【００６１】
また、ステップ１０４で肯定判定となった場合は、スロットＳＬ１及びスロットＳＬ２の双方にメモリカードが装着されていると判断し、ステップ１０８に移行して、ステップ１００において取得した十字カーソルボタン５６Ｄの操作状態が、記録先指定情報を入力するための上方向キーが押圧操作されていることを示すものであったか否かを判定する。当該判定が否定判定の場合は、記録先指定情報が入力されていないものと見なし、デフォルトとして予め設定されたスロットＳＬ１に装着されている第１のメモリカード５２を記録先として選択し、その後にステップ１１４に移行する。
【００６２】
一方、ステップ１０８で肯定判定となった場合は、記録先指定情報が入力されたと判断し、ステップ１１２に移行して、スロットＳＬ２に装着されている第２のメモリカード５３を記録先として選択し、その後にステップ１１４に移行する。
【００６３】
ステップ１１４では、レリーズボタン５６Ａが全押しされた時点でメモリ４８に格納されているＹＣ信号（デジタル画像データ）を、圧縮・伸張処理回路５４によって所定の圧縮形式（本実施の形態では、ＪＰＥＧ形式）で圧縮した後に、外部メモリインタフェース５０を介して、上記ステップ１０６、１１０、１１２の何れかの処理によって選択した第１のメモリカード５２又は第２のメモリカード５３に記録し、その後に本画像記録処理を終了する。
【００６４】
以上詳細に説明したように、本実施の形態に係るデジタルカメラ１０によれば、予め定められた指示情報を入力する役割を有する十字カーソルボタン５６Ｄに、所定のタイミングで操作されることによりデジタル画像データの記録先として第１のメモリカード５２及び第２のメモリカード５３の何れか一方を指定する記録先指定情報を入力する役割を有させると共に、十字カーソルボタン５６Ｄにより入力された記録先指定情報によって指定されたメモリカードにデジタル画像データを記録しているので、コストアップを招くことなく、デジタル画像データを記録するメモリカードを簡易に指定することができる。
【００６５】
また、本実施の形態に係るデジタルカメラ１０では、前記所定のタイミングを、撮影のタイミングを指示するレリーズボタン５６Ａが全押し状態とされたタイミングと略等しいタイミングとしているので、レリーズボタン５６Ａが全押し状態とされることによって撮影が指示されたタイミングと略等しいタイミングで当該デジタル画像データの記録先を指定することが可能となり、デジタル画像データの取得と略同時に所望のメモリカードへの当該デジタル画像データの記録が可能となる。
【００６６】
なお、本実施の形態では、記録先のデフォルトとして第１のメモリカードが予め設定され、第２のメモリカードを記録先として指定する場合のみ記録先指定情報を入力する形態について説明したが、本発明はこれに限定されるものではなく、デジタルカメラをメモリカードが３枚以上装着可能に構成し、各メモリカードを記録先として指定する記録先指定情報を、十字カーソルボタン５６Ｄの他の矢印キーやデジタルカメラに予め設けられた他のボタンを本発明の操作手段として適用して各々入力する形態としてもよい。この場合も、本実施の形態と同様の効果を奏することができる。
【００６７】
（第２の実施の形態）
上記第１の実施の形態では、レリーズボタン５６Ａが全押し状態とされることによって撮影が指示されたタイミングと略等しいタイミングで画像データの記録先を指定する形態について説明したが、本第２の実施の形態では、撮影によって画像データが取得された後で、かつメモリカードへの記録前に画像データの記録先を指定する形態について説明する。
【００６８】
なお、本第２の実施の形態にかかるデジタルカメラの構成は、上記第１の実施の形態に係るデジタルカメラ１０の構成（図１及び図２参照。）と略同様であるので、その図示及び説明を省略する。
【００６９】
但し、本第２の実施の形態に係るデジタルカメラ１０では、モード切替スイッチ５６Ｃの操作により選択的に切り替えられるデジタルカメラ１０の動作モードに、撮影により取得されたデジタル画像データ（ここでは、ＹＣ信号）をメモリカードに記録する前にＬＣＤ３８の表示領域にプレビュー表示するプレビュー撮影モードが含まれている。また、当該プレビュー撮影モードにおいては、撮影により取得されたデジタル画像データによって示される画像がＬＣＤ３８の表示領域にプレビュー表示されているときに記録先指定情報が入力される。
【００７０】
図４は、当該プレビュー撮影モードでの撮影時において、レリーズボタン５６Ａが全押し状態とされたときにＣＰＵ４０によって実行される画像記録処理プログラムの処理の流れを示すフローチャートであり、以下、同図を参照して本実施の形態に係る画像記録処理について説明する。
【００７１】
なお、本実施の形態では、十字カーソルボタン５６Ｄの右方向の移動方向を示す矢印キー（以下、「右方向キー」という。）及び左方向の移動方向を示す矢印キー（以下、「左方向キー」という。）を、記録先指定情報を入力するためのキーとして兼用し、十字カーソルボタン５６Ｄの右方向キーにより第１のメモリカード５２を記録先として指定する記録先指定情報を入力し、十字カーソルボタン５６Ｄの左方向キーにより第２のメモリカード５３を記録先として指定する記録先指定情報を入力するものとして説明する。
【００７２】
まず、ステップ１２０では、レリーズボタン５６Ａが全押し状態とされた時点でメモリ４８に格納されているＹＣ信号に基づく画像をＬＣＤ３８にプレビュー表示する。
【００７３】
図５には、一例として、撮影により取得されたデジタル画像データ（ＹＣ信号）によって示される画像がＬＣＤ３８にプレビュー表示された状態が示されている。同図に示されるように、ＬＣＤ３８には、レリーズボタン５６Ａが全押し状態とされたタイミングで取得された画像が表示されると共に、当該画像を示すデジタル画像データの記録先を示す記録先指定情報として第１のメモリカード５２及び第２のメモリカード５３の何れかを指定することを促すメッセージが表示される。
【００７４】
一方、ユーザは当該メッセージに従い十字カーソルボタン５６Ｄの右方向キー又は左方向キーを操作することにより、デジタル画像データの所望の記録先であるメモリカードを指定する。
【００７５】
そこで、次のステップ１２２では、十字カーソルボタン５６Ｄの右方向キー又は左方向キーが操作されたときにＣＰＵ４０に入力される操作信号の受信待ちを行ない、次のステップ１２４では、メモリカードが装着されているか否かを判定する。当該判定が否定判定の場合はデジタル画像データを記録することができないと判断し、記録先指定情報によるメモリカードの指定状態に拘らず、本画像記録処理を終了する。
【００７６】
一方、ステップ１２４で肯定判定となった場合はステップ１２６に移行して、メモリカードが２枚とも装着されているか否かを判定する。当該判定が否定判定の場合は、メモリカードは１枚だけ装着されているものと判断し、ステップ１２８に移行して、撮影により取得されたデジタル画像データの記録を優先して、十字カーソルボタン５６Ｄの操作により入力された記録先指定情報に拘らず装着されているメモリカードを記録先として選択し、その後にステップ１３６に移行する。
【００７７】
一方、ステップ１２６で肯定判定となった場合は、ステップ１３０に移行して、上記ステップ１２２において受信した操作信号が十字カーソルボタン５６Ｄの左方向キーが操作されたことを示すものであったか否かを判定する。当該判定が否定判定となった場合は、十字カーソルボタン５６Ｄの右方向キーが操作され、デジタル画像データの記録先として第１のメモリカード５２が指定されたものと判断し、ステップ１３２に移行して、第１のメモリカード５２をデジタル画像データの記録先として選択し、その後ステップ１３６に移行する。
【００７８】
また、ステップ１３０で肯定判定となった場合は、デジタル画像データの記録先として第２のメモリカード５３が指定されたものと判断し、ステップ１３４に移行して、第２のメモリカード５３をデジタル画像データの記録先として選択し、その後にステップ１３６に移行する。
【００７９】
ステップ１３６では、撮影により取得されてプレビュー表示された画像を示すデジタル画像データを、上記ステップ１２８、１３２、１３４の何れかの処理によって選択されたメモリカードに記録する。次のステップ１３８では、ＬＣＤ３８によるプレビュー表示を終了することによってＬＣＤ３８にスルー画像が表示されるようにし、その後に本画像記録処理を終了する。
【００８０】
以上詳細に説明したように、本第２の実施の形態に係るデジタルカメラ１０によれば、予め定められた指示情報を入力する役割を有する十字カーソルボタン５６Ｄに、所定のタイミングで操作されることによりデジタル画像データの記録先として第１のメモリカード５２及び第２のメモリカード５３の何れか一方を指定する記録先指定情報を入力する役割を有させると共に、十字カーソルボタン５６Ｄにより入力された記録先指定情報によって指定されたメモリカードにデジタル画像データを記録しているので、コストアップを招くことなく、デジタル画像データを記録するメモリカードを簡易に指定することができる。
【００８１】
また、本実施の形態に係るデジタルカメラ１０では、上記所定のタイミングをプレビュー撮影モードで動作しているときのタイミングとすると共に、本発明の操作手段としてプレビュー撮影モード時には使用することのない十字カーソルボタン５６Ｄを適用しているので、十字カーソルボタン５６Ｄの兼用による不具合を生じさせることがない。
【００８２】
（第３の実施の形態）
上記第１の実施の形態では、レリーズボタン５６Ａが全押し状態とされることによって撮影が指示されたタイミングと略等しいタイミングで画像データの記録先を指定する形態について説明したが、本第３の実施の形態では、さらに、当該記録先毎に画像データの記録に関するパラメータが設定可能であり、記録先指定情報によって指定された記録先に対応するパラメータに応じて画像データを記録する形態について説明する。
【００８３】
なお、本第３の実施の形態にかかるデジタルカメラの構成は、上記第１の実施の形態に係るデジタルカメラ１０の構成（図１及び図２参照。）と同様であるので、その図示及び説明を省略する。
【００８４】
但し、本第３の実施の形態に係るデジタルカメラ１０では、ユーザにより、ＬＣＤ３８に表示されるメニュー画面（図示省略）から画像データの記録に関するパラメータを設定する項目を十字カーソルボタン５６Ｄの操作によって選択することにより、当該パラメータをメモリカード毎に設定可能となっている。
【００８５】
この記録に関するパラメータとしては、ＪＰＥＧやＭＰＥＧ等の圧縮形式、解像度、圧縮率等が挙げられる。
【００８６】
図６は、本第３の実施の形態に係るデジタルカメラ１０において、レリーズボタン５６Ａが全押し状態とされたときにＣＰＵ４０により実行される画像記録処理プログラムの処理の流れを示すフローチャートであり、以下、同図を参照して本実施の形態に係る画像記録処理について説明する。
【００８７】
なお、同図の図３に示したフローチャートと同一の処理を行うステップについては同一のステップ番号を付してその説明を省略する。また、ここでは、当該画像記録処理の実行前に、予め上記記録に関するパラメータが設定されている場合について説明する。
【００８８】
ステップ１０６、ステップ１１０及びステップ１１２の何れかのステップにより、画像データの記録先として第１のメモリカード５２又は第２のメモリカード５３が選択されると、ステップ１４０に移行し、選択されたメモリカードに対して予め設定された記録に関するパラメータを適用して、選択されたメモリカードにデジタル画像データを記録し、その後に本画像記録処理を終了する。
【００８９】
例えば、上記パラメータとしてデジタル画像データの記録解像度及びＪＰＥＧ圧縮による圧縮率を適用した場合、記憶容量の大きい方のメモリカードについては高解像度及び低圧縮率を設定し、記憶容量の小さい方のメモリカードについては逆に低解像度及び高圧縮率を設定することにより、本画像記録処理によって、各メモリカードに対する画像の記録枚数を均等化することができる等の効果が得られる。
【００９０】
以上詳細に説明したように、本実施の形態に係るデジタルカメラ１０によれば、予め定められた指示情報を入力する役割を有する十字カーソルボタン５６Ｄに、所定のタイミングで操作されることによりデジタル画像データの記録先として第１のメモリカード５２及び第２のメモリカード５３の何れか一方を指定する記録先指定情報を入力する役割を有させると共に、十字カーソルボタン５６Ｄにより入力された記録先指定情報によって指定されたメモリカードにデジタル画像データを記録しているので、コストアップを招くことなく、デジタル画像データを記録するメモリカードを簡易に指定することができる。
【００９１】
また、本実施の形態に係るデジタルカメラ１０では、前記所定のタイミングを、撮影のタイミングを指示するレリーズボタン５６Ａが全押し状態とされたタイミングと略等しいタイミングとしているので、レリーズボタン５６Ａが全押し状態とされることによって撮影が指示されたタイミングと略等しいタイミングで当該デジタル画像データの記録先を指定することが可能となり、デジタル画像データの取得と略同時に所望のメモリカードへの当該デジタル画像データの記録が可能となる。
【００９２】
さらに、本実施の形態に係るデジタルカメラ１０では、メモリカード毎に記録に関するパラメータを設定可能とし、記録先指定情報によって指定されたメモリカードに対応するパラメータに応じてデジタル画像データを記録しているので、メモリカード毎に記録に関するパラメータを予め設定しておけば、記録先指定情報を入力するだけで自動的にメモリカードに対応するパラメータに応じてデジタル画像データが記録されるため、利便性を向上できる。
【００９３】
なお、上記各実施の形態では、可搬型のメモリカードが２枚装着可能に構成されている形態について説明したが、本発明はこれに限定されるものではなく、内蔵型の記録媒体を複数備えたものや、可搬型の記録媒体及び内蔵型の記録媒体の両方を備えたものであってもよく、３以上の記録媒体を選択的に用いる構成についても適用可能である。
【００９４】
この場合、本発明の操作手段（上記各実施の形態では、十字カーソルボタン５６Ｄ）を、各記録媒体のうちの何れか１つを画像データの記録先として指定する役割を有させる形態のみならず、各記録媒体における複数の記録媒体を記録先として指定する役割を有させることもできる。これにより、操作手段の１回の操作によって、１つの画像データを複数の記録媒体に記録することが可能となる。
【００９５】
また、上記各実施の形態で説明した画像記録処理プログラム（図３、図４及び図６参照）の処理の流れは一例であり、本発明の主旨を逸脱しない範囲内において適宜変更可能であることは言うまでもない。
【００９６】
また、上記各実施の形態に係るデジタルカメラ１０の構成（図１及び図２参照）も一例であり、本発明の主旨を逸脱しない範囲内において適宜変更可能であることは言うまでもない。
【００９７】
例えば、デジタルカメラ１０に撮影画像のズーミングを行うズームボタンを設けておき、当該ズームボタンを上記各実施の形態における十字カーソルボタン５６Ｄに代えてデジタル画像データの記録先を指定する操作手段として適用する形態とすることもできる。ズームボタンには、通常、ズームインを行うテレ・スイッチ及びズームアウトを行うワイド・スイッチが設けられているが、例えば、これらのスイッチの一方に第１のメモリカードを指定する役割を有させ、他方に第２のメモリカードを指定する役割を有させる形態を、より具体的な形態例として挙げることができる。
【００９８】
更に、本発明は上記デジタルカメラに限られるものではなく、様々な画像記録装置に適用可能である。
【００９９】
【発明の効果】
以上説明したように、本発明は、予め定められた指示情報を入力する役割を有する操作手段に、所定のタイミングで操作されることにより画像情報の記録先として複数の記録媒体のうちの少なくとも１つを指定する記録先指定情報を入力する役割を有させると共に、操作手段により入力された記録先指定情報によって指定された記録媒体に画像情報を記録しているので、コストアップを招くことなく、画像情報を記録する記録媒体を簡易に指定することができる、という優れた効果を有する。
【図面の簡単な説明】
【図１】実施の形態に係るデジタルカメラの構成を示す外観図である。
【図２】実施の形態に係るデジタルカメラの電気系の構成を示すブロック図である。
【図３】第１の実施の形態に係る画像記録処理プログラムの処理の流れを示すフローチャートである。
【図４】第２の実施の形態に係る画像記録処理プログラムの処理の流れを示すフローチャートである。
【図５】第２の実施の形態に係る画像記録処理の実行時において、撮影により取得されたデジタル画像データにより示される画像がＬＣＤ３８にプレビュー表示された状態を示す模式図である。
【図６】第３の実施の形態に係る画像記録処理プログラムの処理の流れを示すフローチャートである。
【符号の説明】
１０    デジタルカメラ
３８    ＬＣＤ
４０    ＣＰＵ（記録手段）
５０    外部メモリインタフェース
５２    第１のメモリカード（記録媒体）
５３    第２のメモリカード（記録媒体）
５６Ａ    レリーズボタン（入力手段）
５６Ｄ    十字カーソルボタン（操作手段、設定手段）
【図１】
2004336350.tif 000003
【図２】
2004336350.tif 000004
【図３】
2004336350.tif 000005
【図４】
2004336350.tif 000006
【図５】
2004336350.tif 000007
【図６】
2004336350.tif 000008